(57)【要約】      （修正有）【課題】補助記録媒体への加工記録データ保存の際のファイル名を自動付加する小型補助記録装置を提供する。【解決手段】加工装置のシリアル通信ポートに接続することで、加工記録データに含まれるデータの一部をファイル名として自動的に付加する。【効果】補助記録媒体への加工記録データ保存の際のファイル名付加方法として、ファイル名を直接入力する方法に伴う操作の煩雑さや、時計機能内蔵による日付時刻情報をファイル名として利用する方法に伴う、ファイル名から元データとの関連性を類測し難い点に加えて、補助記録装置側に操作部や時計機能追加によるコストアップとなる点を解決した。【選択図】図３
2016085539.tif 000002
【特許請求の範囲】
【請求項１】
1回の加工毎にその加工条件と加工結果と、その加工が実施された日付時刻のデータで構成されるデータ列を1記録ブロックとして、その記録ブロックが加工された順に連続して記録された加工記録データを補助記録媒体にファイルとして保存する際に、加工記録データの記録ブロックに含まれるデータの一部を前記ファイルのファイル名として自動的に付加することを特徴とするファイル名自動付加方法
【請求項２】
加工記録データの先頭または末尾の記録ブロックに含まれる日付時刻のデータ、または、先頭と末尾の記録ブロックに含まれる日付時刻のデータの両方を、日付時刻を類推できる文字列として記録データのファイル名として自動的に付加することを特徴とする請求項１のファイル名自動付加方法
【請求項３】
さらに記録ブロックに含まれる加工条件を類推できる文字列としてファイル名に自動的に付加することを特徴とする請求項２のファイル名自動付加方法
【請求項４】
加工条件データに加工場所を表すデータが含まれる時、人が認識できる住所などの文字列に変換してファイル名に自動的に付加することを特徴とする請求項３のファイル名自動付加方法
【請求項５】
加工記録データを通信手段を通して受信し、請求項１、２、３、４記載の方法で自動的にファイル名を付加してUSBメモリーやSDカードなどの補助記録媒体に記録することを特徴とする補助記録装置
【発明の詳細な説明】
【技術分野】
【０００１】
本発明は、時系列に保存された加工記録データに含まれるデータの一部からファイル名を自動付加するファイル名自動付加方法を備えた小型補助記録装置に関するものである。
【背景技術】
【０００２】
過去に設計された加工装置は、パソコンに対するデータの出力方法として、加工装置内のメモリーに蓄積した加工記録データを、パソコンとシリアル通信ポートで直接接続することで、転送して保存している。
【０００３】
しかしながら、この方法では、加工装置はパソコンが近傍にないと加工記録データを転送できないため、加工装置或いはパソコンを近傍に都度移動させる必要がある。
【０００４】
このような点を踏まえて、下記の特許文献１のように加工装置のシリアル通信ポートに接続することで、加工記録データをＵＳＢメモリーに保存することが可能な小型記録処理装置が発明されている。またデータ保存の際にファイル名を付加しなければならないが、一般的な方法として特許文献２のような内蔵された時計機能による日付時刻情報を利用し、ファイル名として自動付加する方法が考案されている。
【０００５】
しかし上記の方法のように、内蔵された時計機能による日付時刻情報をファイル名として自動付加すると、ファイル名から元データとの関連性が類測し難いことに加え、加工記録データを保存する補助記録装置側に時計機能内蔵によるコストアップする点、またファイル名を操作部による直接入力とすると、自由なファイル名を付加することは可能だが、操作の煩雑さや、操作部追加に伴うコストアップといった欠点が挙げられる。
【先行技術文献】
【特許文献】
【０００６】
【特許文献１】特開２０１１−０１２９９４号公開
【特許文献２】特開２００４−１９９４２８号公開
【発明の概要】
【発明が解決しようとする課題】
【０００７】
本発明は、特許文献１のような補助記録媒体への加工記録データ保存の際のファイル名付加方法として、ファイル名を直接入力する方法に伴う操作の煩雑さや、特許文献２のような時計機能内蔵による日付時刻情報をファイル名として利用する方法に伴う、ファイル名から元データとの関連性を類測し難い点に加えて、補助記録装置側に操作部や時計機能追加によつコストアップとなる点を解決した小型補助記録装置を提供することである。
【課題を解決するための手段】
【０００８】
また1回の加工毎にその加工条件と加工結果と、その加工が実施された日付時刻といった加工情報のデータで構成されるデータ列を1記録ブロックとして、その記録ブロックが加工された順に連続して記録された加工記録データを補助記録媒体にファイルとして保存する際に、ファイル名を入力といった操作をすることなく加工記録データの記録ブロックに含まれるデータの一部を前記ファイルのファイル名として自動的に付加するファイル名自動付加方法を持った小型補助記録装置の提供を最も主要な特徴とする。
【発明の効果】
【０００９】
本発明のファイル名自動付加方法を持った小型補助記録装置は、前記の特許文献１のように加工装置のシリアル通信ポートに接続することで加工記録データを受信することから、昔に設計された加工装置自体にUSBメモリーインターフェースを追加する設計変更が不要でありコストアップがない、かつ加工装置との通信手順をあらかじめ把握させておくことで加工装置側の操作はパソコンにデータ転送するときと同じ操作でよい。その際に記録データをＵＳＢメモリーに保存するので、殆ど全てのパソコンでデータを記録したＵＳＢメモリーを利用することができる。
【００１０】
また、1回の加工毎にその加工条件と加工結果と、その加工が実施された日付時刻といった加工情報で構成されるデータ列を1記録ブロックとして、その記録ブロックが加工された順に連続して記録された加工記録データを補助記録媒体にファイルとして保存する際に、加工記録データの記録ブロックに含まれるデータの一部を前記ファイルのファイル名として自動的に付加することを特徴とするので、記録ブロック内の加工した日付時刻などをファイル名に用いると、ファイル名からデータ内容の類測が容易であり、さらに自動付加するためファイル名を直接入力する煩雑さを省いたり、補助記録装置内に時計機能や操作部の追加が不要なのでコストアップがないという利点がある。
【図面の簡単な説明】
【００１１】
【図１】図１は、ファイル名自動付加方法を備えた加工装置のブロック構成図である。
【図２】図２は加工装置内の記録部（不揮発性メモリー）に時系列に保存されている、加工記録データのデータ構造を示したブロック構成図である。
【図３】図３は本発明のファイル名自動付加方法である、加工記録データの末尾の記録ブロックに含まれる加工日付時刻を、そのままファイル名として自動的に付加し、補助記録媒体に保存する場合のフローチャートである。
【図４】図４は本発明のファイル名自動付加方法である、加工記録データの先頭の記録ブロックに含まれる加工日付時刻を、そのままファイル名として自動的に付加し、補助記録媒体に保存する場合のフローチャートである。
【図５】図５は本発明のファイル名自動付加方法を備えた、小型補助記録装置と加工装置を接続したブロック構成図である。
【発明を実施するための形態】
【００１２】
加工装置のシリアル通信ポートと接続することで、加工記録データをＵＳＢメモリーにファイルとして保存する際に、加工記録データの記録ブロックに含まれるデータの一部を、ファイル名として自動的に付加する方法を備えた小型補助記録装置を提供することを目的とし実現した。
【００１３】
以下、本発明の実施例を図に基づいて説明する。
【実施例１】
【００１４】
実施例１は、加工装置内の記録部（不揮発性メモリー）に、時系列に保存された加工記録データの記録ブロックに含まれるデータの一部をファイル名として付加する方法である。
【００１５】
図１は、本発明であるファイル名自動付加方法を備えた加工装置のブロック構造図であり、加工装置１は、外部電源２と制御部１１と記録部（不揮発性メモリ）１１１と表示部１１２と操作部１１３とファイル名付加用バッファ１１４とファイル名付加部３と補助記録媒体４で構成されている。
【００１６】
外部電源２より制御部１１に電源を供給してもらい、加工することによって得た加工記録データが保存されている記録部（不揮発性メモリー）１１１や、画面表示を行う表示部１１２、電源やリセットを行う釦の付いた操作部１１３、記録部の加工記録データを制御部に転送した後、加工記録データ内のファイル名として付加したいデータを一時保存しておくファイル名付加用バッファ１１４を制御しており、ファイル名付加用バッファ１１４に保存されたデータは、制御部１１によってファイル名付加部３に送られファイル名を付加した後、補助記録媒体４に保存される。
【００１７】
図２は、上記図１の加工装置内の記録部（不揮発性メモリー）に保存されている、加工記録データのデータ構造である。
【００１８】
図２が示すように、一回の加工毎に加工条件や加工結果、加工が実施された日付時刻といった加工情報のデータで構成されるデータ列を１記録ブロックとし、その１記録ブロックが加工された順に連続して記録された加工記録データを記録部（不揮発性メモリー）に保存している。また、１記録ブロックのバイト長を２５６バイトとし、１００回加工することによって得た１００記録ブロックを加工装置内の記録部に保存しており、記録ブロックの先頭１バイト目から１０バイト目に加工日時を配置している。なおこの総データ数や、１記録ブロックのバイト長、どの位置に加工日付時刻が配置されているのかといった情報を、あらかじめ図１の加工装置の制御部に記録させておく必要がある。
【００１９】
図３は、本発明のファイル名自動付加方法である、加工記録データの末尾の記録ブロックに含まれる加工日付時刻を、そのままファイル名として自動的に付加し補助記録媒体に保存する場合のフローチャートである。
【００２０】
図３では、ステップＳ１で、加工装置内の記録部に保存している、上記で示した２５６バイト長の１記録ブロックが１００個からなる加工記録データを、加工装置内の記録部より制御部に転送する。ステップＳ２で、２５６バイト（１記録ブロック）毎に受信データを制御部内に一時保存し記録ブロック数をカウントする。ステップＳ３で、制御部に一時保存した記録ブロックが１００個目であるかのチェックを行う。記録ブロック数が１００個目ではない場合、ステップＳ３１に進み、制御部内に一時保存した記録ブロックを補助記録媒体に保存し、ステップＳ２に戻り１００個目の記録ブロックをカウントするまで繰り返しデータを受信し補助記録媒体に保存する。記録ブロック数が１００個目になると、ステップＳ４に進み、ファイル名として付加する加工日付時刻情報の文字列を取り出すために、制御部に一時保存した１００個目の記録ブロックの先頭から１０バイトの文字列をファイル名付加用バッファにコピーする。ステップＳ５で、制御部内に一時保存した１００個目の記録ブロックを補助記録媒体に保存する。ステップＳ６で、ファイル名付加用バッファにコピーしておいた加工日付時刻情報の文字列を、制御部よりファイル名付加部に送り、補助記録媒体に保存するファイル名にそのまま付加する。
【００２１】
図２の加工記録データのデータ構造を用いて、１００個目の記録ブロックの加工日付時刻情報の文字列を、補助記録媒体に保存するファイル名としてそのまま付加しているので、１４１０３０１５００といった文字列がファイル名として補助記録媒体に保存されることになる。
【００２２】
さらに、加工記録データの先頭の記録ブロックに含まれる加工日付時刻を、そのままファイル名として自動的に付加し補助記録媒体に保存する場合のフローチャートを図４に示す。
【００２３】
図４では、ステップＳ７で、加工装置内の記録部に保存している、上記で示した２５６バイト長の１記録ブロックが１００個からなる加工記録データを、加工装置内の記録部より制御部に転送する。ステップＳ８で、２５６バイト（１記録ブロック）毎に受信データを制御部内に一時保存し記録ブロック数をカウントする。ここまでは、図３のフローチャートと同じ動作手順である。ステップＳ９で、制御部内に一時保存した記録ブロック数が１個目であるかのチェックを行う。記録ブロック数が1個目である場合、ステップＳ９１に進み、ファイル名として付加する加工日付時刻情報の文字列を取り出すために、制御部に一時保存した１個目の記録ブロックの先頭から１０バイトの文字列をファイル名付加用バッファにコピーする。ステップＳ１０で、制御部に一時保存している受信データを補助記録媒体に保存する。ステップＳ１１で、制御部内の記録ブロックは１００個目であるかのチェックを行う。１００個目でなければ、ステップＳ８に戻りデータの受信を行う。１００個目の記録ブロックである場合、Ｓ１２に進み、ファイル名付加用バッファにコピーしておいた加工日付時刻情報の文字列を、制御部よりファイル名付加部に送り、補助記録媒体に保存するファイル名にそのまま付加する。
【００２４】
また図３や図４のフローチャートでは、先頭または末尾の記録ブロックの加工日時時刻情報をファイル名としてそのまま付加しているが、図３のステップＳ３（一時保存した記録ブロックが１００個目である）の前にステップＳ９（一時保存した記録ブロックが１個目であるか）、ステップＳ９１（一個目の記録ブロックの先頭１０バイト分（加工日付時刻情報）を、ファイル名付加用バッファにコピーしておく。）を追加すれば、先頭末尾両方の記録ブロックから加工日時時刻情報を取り出すことが可能で、その両方の文字列を足し合わせファイル名として付加することや、取り出した加工日時時刻情報の文字列中に、年はＹ、月はＭ、日はＤといった文字列を付け加えてからファイル名として付加することも可能である。
【００２５】
さらに、記録ブロック内の加工条件が先頭から何バイト目から何バイト目に配置されているかといった情報を、加工装置の制御部に記録させておけば、図２，３のように加工日付時刻情報だけではなく、加工条件を取り出しファイル名に付加することも可能であり、その加工条件データに加工場所を表すデータが含まれる場合、その加工場所を表す文字列を取り出した際に、加工場所を表す特定の文字列と住所文字列を対応させておいた表を、加工装置内の制御部に記録させておき、取り出した加工場所を表す文字列と対応表の特定の文字列と合致した場合、それに対応した人が認識できる住所などの文字列に変換してファイル名に付加することも可能である。
実施例２
【００２６】
昔に設計された加工装置の様に、加工装置側の記録部に保存している加工記録データを補助記録媒体に転送する機能や構造がないため、データ転送の都度加工装置もしくはパソコンを移動させなければならなかったが、実施例２は加工装置のシリアル通信ポートに接続することで、加工装置内の加工記録データの記録ブロックに含まれるデータの一部をファイル名として自動的に付加し、ＵＳＢメモリーに保存する機能を備えた小型補助記録装置である。
【００２７】
また実施例１の図１のファイル名自動付加機能を持った加工装置ブロック構造図から、ファイル名付加用バッファ、ファイル名付加部、補助記録媒体といった部分を、小型補助記録装置に付け変えることで、実施例１のようなファイル自動付加方法を備えた小型補助記録装置となっている。
【００２８】
図５は、ファイル名自動付加方法を備えた小型補助記録装置と加工装置を接続したブロック構造図であり、加工装置１は、制御部１１と記録部（不揮発性メモリー）１１１と表示部１１２と操作部１１３とシリアル通信ポート１１５と外部電源２で構成されており、小型補助記録装置５は、シリアルケーブル６と電源コネクタ７と電源部８と通信手段処理部９とデータ保存部１０とファイル名保存バッファ１０１とファイル名付加部１１とＵＳＢコネクタ１２から構成されている。
【００２９】
図５は、外部電源２より制御部１１に電源を供給してもらい、図２で示したように一回の加工毎に加工条件や加工結果、加工が実施された日付時刻といった加工情報のデータで構成されるデータ列を１記録ブロックとし、その記録ブロックが加工された順に連続して記録された加工記録データを保存しておく記録部（不揮発性メモリー）１１１や、画面表示を行う表示部１１２、電源やリセットを行う釦の付いた操作部１１３、記録部の加工記録データをシリアル通信ポート１１５を制御しており、シリアル通信ポート１１５に接続されているシリアルケーブル６を用いて記録部に保存されている加工記録データを転送する。小型補助記録装置５は、シリアルケーブル６より電源を電源部８に供給してもらう方法に加え、電源コネクタ７から電源を供給してもらう方法も可能である。シリアルケーブル６を用いて加工装置１より転送された加工記録データは、通信手段処理部９で受信しデータ保存部１０に一時保存され、そのデータ保存部１０に一時保存した加工記録データの記録ブロックより、ファイル名として付加したいデータをファイル名付加用バッファ１０１に保存しておき、ファイル名付加用バッファに保存されたデータは、全ての加工記録データを受信した後、ファイル名付加部１１に送られファイル名を付加した後、ＵＳＢコネクタ１２に挿入されたＵＳＢメモリーに保存される。
【符号の説明】
【００３０】
１          加工装置
１１        制御部
１１１      記録部（不揮発性メモリ）
１１２      表示部
１１３      操作部
１１４      ファイル名付加用バッファ（加工装置内）  
１１５      シリアル通信ポート
２          外部電源
３          ファイル名付加部（加工装置内）              
４          補助記録媒体
５          小型補助記録媒体
６          シリアルケーブル
７          電源コネクタ
８          電源部
９          通信手順処理部
１０        データ保存部
１０１      ファイル名保存用バッファ（小型補助記録装置内）
１１        ファイル名付加部（小型補助記録装置内）
１２        ＵＳＢコネクタ
【図１】
2016085539.tif 000003
【図２】
2016085539.tif 000004
【図３】
2016085539.tif 000005
【図４】
2016085539.tif 000006
【図５】
2016085539.tif 000007